(57)【要約】      （修正有）【課題】高輝度照明下で展示される印刷物の印刷結果の確認をモニタ上で実現すること。【解決手段】画像処理装置３１０は、所定の観察環境で観察される印刷物に対応する画像をモニタで表示するための装置である。画像取得部４０１は、ＨＤＲ画像を取得する。照明輝度取得部４０２は、所定の観察環境の照明輝度を取得する。モニタ輝度変更部４０５は、照明輝度に応じてモニタの輝度を変更する。プレビュー画像生成部４０６は、ＨＤＲ画像を、照明輝度に応じて変換する。プレビュー画像出力部４０７は、変換された画像データを、輝度が変更されたモニタに出力する。【選択図】図４
2020134747.tif 000002
【特許請求の範囲】
【請求項１】
所定の観察環境で観察される印刷物に対応する画像を表示装置で表示するための画像処理装置であって、
画像データを取得する第一取得手段と、
前記所定の観察環境の照明輝度を取得する第二取得手段と、
前記第二取得手段で取得した照明輝度に応じて前記表示装置の輝度を変更する変更手段と、
前記第一取得手段で取得した画像データを、前記第二取得手段で取得した照明輝度に応じて変換する変換手段と、
前記変換手段で変換された画像データを前記変更手段で輝度が変更された前記表示装置に出力する出力手段と、
を有することを特徴とする画像処理装置。
【請求項２】
前記変換手段は、前記第一取得手段で取得した画像データの輝度のレンジが、前記第二取得手段で取得した照明輝度に応じたレンジとなるように前記画像データを変換することを特徴とする請求項１に記載の画像処理装置。
【請求項３】
前記変換手段は、前記第一取得手段で取得した画像データの輝度のレンジに対応するＰＱ値と、前記第二取得手段で取得した照明輝度のレンジに対応するＰＱ値との差が、所定の範囲内となるように、前記画像データの変換を行うことを特徴とする請求項１に記載の画像処理装置。
【請求項４】
前記変換手段は、前記第一取得手段で取得した画像データの最大輝度が、前記第二取得手段で取得した照明輝度となるように、前記画像データの変換を行うことを特徴とする請求項１に記載の画像処理装置。
【請求項５】
前記第一取得手段で取得する画像データは、ＲＡＷデータであり、
前記変換手段は、前記第一取得手段で取得した画像データの輝度のレンジを圧縮する変換を行うことを特徴とする請求項１から４のいずれか一項に記載の画像処理装置。
【請求項６】
前記変換手段は、前記第一取得手段で取得した画像データの暗部の圧縮率が、明部の圧縮率よりも低くなるように、前記画像データの変換を行うことを特徴とする請求項５に記載の画像処理装置。
【請求項７】
前記第一取得手段で取得する画像データは、ＳＤＲ画像のデータであり、
前記変換手段は、前記第一取得手段で取得した画像データの輝度のレンジを拡張する変換を行うことを特徴とする請求項１から４のいずれか一項に記載の画像処理装置。
【請求項８】
前記第二取得手段で取得する照明輝度は、標準光源の輝度よりも高いことを特徴とする請求項１から７のいずれか一項に記載の画像処理装置。
【請求項９】
前記変換手段は、前記変換した画像データを、前記表示装置で用いられている単位輝度に応じて正規化し、
前記出力手段は、前記正規化された画像データを前記表示装置に出力することを特徴とする請求項１から８のいずれか一項に記載の画像処理装置。
【請求項１０】
前記変更手段は、
前記表示装置の輝度を第１モードと第２モードとに切り替え可能であり、
前記第１モードの場合、前記表示装置の輝度を、前記第二取得手段で取得した照明輝度に応じて変更し、
前記第２モードの場合、前記表示装置の輝度を、標準光源の輝度に変更することを特徴とする請求項９に記載の画像処理装置。
【請求項１１】
前記変更手段は、前記表示装置が前記正規化された画像データに基づく表示をしている場合に、前記モードを切り替え可能であることを特徴とする請求項１０に記載の画像処理装置。
【請求項１２】
前記第１モードがユーザ指示によって解除された場合、または、所定の期間が経過した場合、前記変更手段は、前記表示装置の輝度を前記第１モードに切り替える前の輝度に戻すことを特徴とする請求項１０に記載の画像処理装置。
【請求項１３】
前記変更手段は、前記第二取得手段で取得した照明輝度に応じた輝度に前記表示装置の輝度を変更できない場合、前記表示装置の輝度を、現在の輝度よりも高い輝度に変更することを特徴とする請求項１から１２のいずれか一項に記載の画像処理装置。
【請求項１４】
前記表示装置は、領域ごとに輝度の調整が可能であり、
前記変更手段は、第１領域のみの輝度を前記第二取得手段で取得した照明輝度に応じて変更し、
前記出力手段は、前記表示装置の前記第１領域および前記第１領域と異なる第２領域のいずれにも前記正規化された画像データを表示させる指示を出力することを特徴とする請求項９に記載の画像処理装置。
【請求項１５】
前記変更手段は、
第１表示装置および第２表示装置の輝度をそれぞれ変更することが可能であり、
前記第１表示装置のみの輝度を前記第二取得手段で取得した照明輝度に応じて変更し、
前記出力手段は、前記第１表示装置および前記第２表示装置のいずれにも前記正規化された画像データを出力することを特徴とする請求項９に記載の画像処理装置。
【請求項１６】
前記変換手段で変換された画像データを印刷装置に出力する第二出力手段をさらに備えることを特徴とする請求項１から１５のいずれか一項に記載の画像処理装置。
【請求項１７】
前記第二出力手段は、前記出力手段による出力の結果、前記表示装置に前記画像が表示され、所定の指示が入力された後に、前記印刷装置に前記変換手段で変換された画像データを出力することを特徴とする請求項１６に記載の画像処理装置。
【請求項１８】
所定の観察環境で観察される印刷物に対応する画像を表示する表示装置を制御する制御装置であって、
前記所定の観察環境の照明輝度を取得する取得手段と、
前記取得手段で取得した照明輝度に応じて前記表示装置の輝度を変更する変更手段と、
を有することを特徴とする制御装置。
【請求項１９】
所定の観察環境で観察される印刷物に対応する画像を表示装置で表示するための画像処理方法であって、
画像データを取得する第一取得ステップと、
前記所定の観察環境の照明輝度を取得する第二取得ステップと、
前記第二取得ステップで取得した照明輝度に応じて前記表示装置の輝度を変更する変更ステップと、
前記第一取得ステップで取得した画像データを、前記第二取得ステップで取得した照明輝度に応じて変換する変換ステップと、
前記変換ステップで変換された画像データを前記変更ステップで輝度が変更された前記表示装置に表示させる出力ステップと、
を有することを特徴とする画像処理方法。
【請求項２０】
所定の観察環境で観察される印刷物に対応する画像を表示する表示装置を制御する制御方法であって、
前記所定の観察環境の照明輝度を取得する取得ステップと、
前記取得ステップで取得した照明輝度に応じて前記表示装置の輝度を変更する変更ステップと、
を有することを特徴とする制御方法。
【請求項２１】
コンピュータを、請求項１から１７のいずれか一項に記載の画像処理装置の各手段として機能させるためのプログラム。
【発明の詳細な説明】
【技術分野】
【０００１】
本発明は、所定の観察環境で観察される印刷物に対応する画像を表示する技術に関する。
【背景技術】
【０００２】
ＩＣＣＰｒｏｆｉｌｅを使ったＣＭＳ（Color Management System）では、通常照明（標準光源Ｄ５０）下で提示した印刷物を、モニタ上でソフトプルーフする技術が実現されている。ソフトプルーフとは、実際の印刷物を印刷せずに、モニタ上で印刷結果を確認することを指す。標準光源Ｄ５０は、輝度１００ｃｄ／ｍ2に相当する。
【０００３】
近年、高輝度かつ広色域の再現範囲を持つＨＤＲ（High Dynamic Range）画像が普及しつつある。ＨＤＲ画像は、最高輝度が１０００ｎｉｔ（ｃｄ／ｍ2）以上であり、色域ではＢＴ．２０２０を表現するものである。ＨＤＲ画像をインクジェット記録装置で記録する際には、記録装置が再現できる輝度のダイナミックレンジ（以下、Ｄレンジという）に、トーンカーブ等を用いてＤレンジ圧縮を行う必要がある。
【０００４】
特許文献１には、Ｄレンジ圧縮を行った際のコントラスト低下を補正する技術が記載されている。また、Ｄレンジ圧縮をする際に、通常照明輝度（１００ｃｄ／ｍ2）に圧縮するだけでなく、通常照明輝度よりも高輝度（例えば４００ｃｄ／ｍ2）に圧縮することで、高輝度照明下での展示に適した印刷物を作成することが可能である。高輝度照明下の展示用に作成した印刷物を通常照明下で観察した場合には、暗い印刷物に見えてしまうが、高輝度照明下で観察した場合には、高輝度の印刷効果を確認することができる。
【先行技術文献】
【特許文献】
【０００５】
【特許文献１】特開２００６−１２９１０５号公報
【発明の概要】
【発明が解決しようとする課題】
【０００６】
通常照明下と同等の輝度で使用されているモニタ上に、高輝度照明下の展示用に作成される印刷物に相当する画像を表示すると、輝度が足りずに、展示環境下での印刷効果を確認することができない。また、ＩＣＣＰｒｏｆｉｌｅでは、輝度の変更を考慮した色変換処理は行われていないので、モニタ上でソフトプルーフする場合に、適切な変換が行われない虞がある。
【０００７】
本発明は、高輝度照明下で展示される印刷物の印刷結果の確認をモニタ上で実現することを目的とする。
【課題を解決するための手段】
【０００８】
本発明の一態様に係る画像処理装置は、所定の観察環境で観察される印刷物に対応する画像を表示装置で表示するための画像処理装置であって、画像データを取得する第一取得手段と、前記所定の観察環境の照明輝度を取得する第二取得手段と、前記第二取得手段で取得した照明輝度に応じて前記表示装置の輝度を変更する変更手段と、前記第一取得手段で取得した画像データを、前記第二取得手段で取得した照明輝度に応じて変換する変換手段と、前記変換手段で変換された画像データを前記変更手段で輝度が変更された前記表示装置に出力する出力手段と、を有することを特徴とする。
【発明の効果】
【０００９】
本発明によれば、高輝度照明下で展示される印刷物の印刷結果の確認をモニタ上で実現することができる。
【図面の簡単な説明】
【００１０】
【図１】輝度レンジの圧縮する例を示す図。
【図２】印刷物の展示環境を説明する図。
【図３】画像処理装置を含むシステムの構成を説明するためのブロック図。
【図４】画像処理装置の機能ブロックの例を示す図。
【図５】ダイナミックレンジ圧縮を説明する図。
【図６】ダイナミックレンジ圧縮を行った効果を説明する図。
【図７】輝度とＰＱ値との対応表を示す図。
【図８】画像処理装置のフローチャートの一例を示す図。
【図９】印刷画像生成部およびプレビュー画像生成部の詳細を示すブロック図。
【図１０】印刷画像生成部およびプレビュー画像生成部の詳細を示すフローチャート。
【図１１】画像処理装置のブロック図。
【発明を実施するための形態】
【００１１】
以下、本発明の実施形態について、図面を参照して説明する。なお、以下の実施形態は本発明を限定するものではなく、また、本実施形態で説明されている特徴の組み合わせの全てが本発明の解決手段に必須のものとは限らない。なお、同一の構成については、同じ符号を付して説明する。
【００１２】
最初に、実施形態の説明に先立って、背景技術の補足事項を説明する。ＩＣＣＰｒｏｆｉｌｅでは、輝度の変更を考慮した色変換処理は行われていない。ＩＣＣＰｒｏｆｉｌｅでは、次の想定がなされた色変換処理が行われる。入力画像の最大輝度は１００ｃｄ／ｍ2前後である。モニタが使用する表示最大輝度は１００ｃｄ／ｍ2前後である。印刷物を観察する環境も通常照明下の最大輝度１００ｃｄ／ｍ2前後である。このように輝度を合わせることで、ＣＭＳ間の一致性を実現している。ＣＭＳ間での輝度が一致しているため、ＩＣＣＰｒｏｆｉｌｅでは、実際の印刷物を作成（印刷）しなくても、実際の印刷物と同等の視覚効果の印刷結果をモニタ上で確認することができる。
【００１３】
しかしながら、ＩＣＣＰｒｏｆｉｌｅを用いたソフトプルーフでは、輝度を変更することは考慮されておらず、さらにはモニタの輝度を、アプリケーションの操作時に変更することは想定されていない。このため、モニタの輝度（最大輝度）は、通常、１００ｃｄ／ｍ2前後に固定されたままである。
【００１４】
図１は、ＨＤＲ画像の輝度レンジを出力機器（プリンタ、モニタ）の輝度レンジに圧縮する例を示す図である。図１において、横軸はダイナミックレンジ圧縮（Ｄレンジ圧縮）を行う入力画像の輝度を表し、縦軸は圧縮後の輝度を表す。最高輝度が１０００ｃｄ／ｍ2のＨＤＲ画像は、実線で示すように、輝度が高い領域のコントラストを小さくすることで出力機器のモニタが使用する１００ｃｄ／ｍ2前後にＤレンジが圧縮される。一方で、例えば高輝度照明下（例えば４００ｃｄ／ｍ2）で印刷物が展示される場合、ＨＤＲ画像を、高輝度照明下での観察に適したＤレンジに圧縮することが行われる。しかしながら、ＩＣＣＰｒｏｆｉｌｅを用いたソフトプルーフでは、モニタの輝度は、１００ｃｄ／ｍ2前後に固定されたままであり、ＣＭＳ間の輝度が一致しないので、高輝度照明下での展示を想定した印刷物のソフトプルーフを行うことができない。
【００１５】
以下で説明する実施形態においては、高輝度照明下での展示用に作成した印刷物を高輝度照明下で観察した状態を、通常１００ｃｄ／ｍ2前後で使用しているモニタを用いてソフトプルーフ（プレビュー）することを可能にする形態を説明する。
【００１６】
＜＜実施形態１＞＞
＜印刷物の展示環境＞
図２は、本実施形態で想定している印刷物の展示環境を説明する図である。図２は、部屋２００を断面で見た模式図である。天井２０１には、部屋の照明２０２が設置されている。壁２０３には、インクジェットプリンタで出力した印刷物２０４が飾られている。天井２０１には、印刷物２０４を照らす補助照明２０５が取り付けられている。図２の破線は、補助照明２０５の光が印刷物２０４に照射されている様子を表している。補助照明２０５としては、展示など向けに高輝度な光を照射可能な照明を想定している。このように補助照明２０５を印刷物２０４に照射することで、通常１００ｃｄ／ｍ2前後の輝度よりも高輝度の印刷物（展示物）を観察者が観察することができる。
【００１７】
＜システム構成＞
図３は、本実施形態における画像処理装置３１０を含むシステムの構成を説明するためのブロック図である。本実施形態のシステムは、画像処理装置３１０と、プリンタ３２０と、モニタ３３０とを有する。
【００１８】
画像処理装置３１０は、ホストＰＣなどによって構成される。画像処理装置３１０は、ＣＰＵ３１１、ＲＡＭ３１２、ＨＤＤ３１３、モニタＩ／Ｆ３１４、キーボード・マウスＩ／Ｆ３１５、およびデータ転送Ｉ／Ｆ３１６を有する。ＣＰＵ３１１は、ＨＤＤ３１３に保持されるプログラムに従ってＲＡＭ３１２をワークエリアとしながら各種処理を実行する。例えば、ＣＰＵ３１１は、キーボード・マウスＩ／Ｆ３１５を介してユーザから受信したコマンドおよびＨＤＤ３１３に保持されているプログラムに従って、プリンタ３２０の印刷に用いられる画像データを生成する。そして生成した画像データをデータ転送Ｉ／Ｆ３１６を介してプリンタ３２０に転送する。また、データ転送Ｉ／Ｆ３１６を介してプリンタ３２０から受信した画像データに対し、ＨＤＤに記憶されているプログラムに従って所定の処理を行うことができる。モニタＩ／Ｆ３１４は、キーボード・マウスＩ／Ｆ３１５を介してユーザから受信したコマンドおよびＨＤＤ３１３に保持されているプログラムに従って、様々な情報をモニタ３３０に出力する。また、本実施形態では、プリンタ３２０での印刷に用いられる画像データを用いてモニタ３３０で画像が表示される。
【００１９】
プリンタ３２０は、ＣＰＵ３２１、ＲＡＭ３２２、ＲＯＭ３２３、画像処理アクセラレータ３２４、およびデータ転送Ｉ／Ｆ３２５を有する。ＣＰＵ３２１は、ＲＯＭ３２３に保持されるプログラムに従ってＲＡＭ３２２をワークエリアとしながら各種処理を実行する。画像処理アクセラレータ３２４は、ＣＰＵ３２１よりも高速に画像処理を実行可能なハードウェアである。画像処理アクセラレータ３２４は、ＣＰＵ３２１が画像処理に必要なパラメータおよびデータをＲＡＭ３２２の所定のアドレスに書き込むことにより起動され、上記パラメータおよびデータを読み込んだ後、所定の画像処理を実行する。なお、画像処理アクセラレータ３２４の代わりに同等の処理がＣＰＵ３２１で実行されてもよい。
【００２０】
モニタ３３０は、信号処理部３３１、駆動部３３２、液晶パネル３３３、およびモニタＩ／Ｆ３３４を有する。信号処理部３３１は、モニタＩ／Ｆ３３４により入力された画像データ（画像信号）および制御データに基づき所定の処理を実行する。駆動部３３２は、信号処理部３３１で処理された信号に基づいて液晶パネル３３３を駆動する。本実施形態のモニタ３３０は、一般的なモニタディスプレイを用いることができる。信号処理部３３１は、液晶パネル３３３の表示に用いられる輝度を調整することができる。本実施形態におけるモニタ３３０の最大輝度は、４００ｃｄ／ｍ2であるものとする。なお、一般的な使用態様においては、モニタ３３０が通常使用する最大輝度は１００ｃｄ／ｍ2前後に設定されている。
【００２１】
＜画像処理装置のブロック図＞
図４は、本実施形態の画像処理装置３１０の機能ブロックの例を示す図である。画像処理装置３１０は、画像取得部４０１、照明輝度取得部４０２、印刷画像生成部４０３、印刷出力部４０４、モニタ輝度変更部４０５、プレビュー画像生成部４０６、およびプレビュー画像出力部４０７を有する。図４に示す各部は、画像処理装置３１０のＣＰＵ３１１が、ＨＤＤ３１３に格納されているプログラムをＲＡＭ３１２に読み出し、実行することで、ＣＰＵ３１１が図４に示す各部として機能するものである。
【００２２】
本実施形態の画像処理装置３１０は、高輝度照明下で展示される印刷物を生成するための画像データを生成する装置でもあり、また、高輝度照明下でその印刷物を観察した際の印刷物に対応する画像をプレビューするための画像データを生成する装置でもある。本実施形態では、ＨＤＲ画像を元にした処理を説明する。
【００２３】
画像取得部４０１は、処理に用いられる画像データを取得する。画像取得部４０１は、ＨＤＤ３１３に保存されている画像データを取得してもよいし、外部の装置などから入力された画像データを取得してもよい。本実施形態では、画像取得部４０１は、ＨＤＲ画像の画像データを取得する。ＨＤＲ画像を説明する。通常のＪＰＥＧまたはＴＩＦＦのような形式の画像では、画像が有する最大輝度は、１００ｃｄ／ｍ2である。一方、ＨＤＲ画像は、画像が有する最大輝度は、１０００ｃｄ／ｍ2以上とする高輝度の画像情報を持つデータである。本実施形態では、画像取得部４０１が取得するＨＤＲ画像の最大輝度は、１０００ｃｄ／ｍ2とする。
【００２４】
照明輝度取得部４０２は、印刷物が展示される環境の観察条件を取得する。例えば照明輝度取得部４０２は、ユーザが画像処理装置３１０に直接入力した照明輝度を取得してもよいし、ユーザが入力した照度を輝度変換し、変換された輝度を取得してもよい。また、展示環境における輝度を不図示の測定器で測定し、測定された輝度が画像処理装置３１０に入力されてもよい。また、輝度の値を入力させるのではなく、通常照明、中輝度照明、高輝度照明のような選択肢の中からユーザに照明を選択させ、その選択に応じて対応する輝度を取得してもよい。図２に示すように、複数の照明が照射される環境においては、複数の照明を考慮した照明輝度が取得されてもよい。また、ユーザが印刷物を観察する距離を考慮した照明輝度が取得されてもよい。本実施形態では、ユーザが設定した照明輝度、即ち、照明輝度取得部４０２が取得する照明輝度は、４００ｃｄ／ｍ2とする。以降の処理は、印刷用の処理とプレビュー表示用の処理とに分かれることになる。まず、印刷用の処理を説明する。
【００２５】
印刷画像生成部４０３は、画像取得部４０１で取得された画像が、照明輝度取得部４０２で取得された照明輝度の環境での観察に適した印刷物として印刷されるように、印刷用の画像データを生成する。取得されたＨＤＲ画像のデータは、最大輝度が１０００ｃｄ／ｍ2であるので、印刷画像生成部４０３は、取得された照明輝度の４００ｃｄ／ｍ2に合わせたＤレンジ圧縮を行う。例えば、印刷画像生成部４０３は、取得されたＨＤＲ画像の輝度に対して、１次元ルックアップテーブル（以下、１ＤＬＵＴという）などを用いて所定の輝度レンジにＤレンジ圧縮を行なうことが可能である。
【００２６】
図５は、本実施形態で行われるＤレンジ圧縮を説明する図である。図５において、横軸はＤレンジ圧縮を行う入力の輝度を表し、縦軸は圧縮後の輝度を表す。１０００ｃｄ／ｍ2の輝度レンジをもつＨＤＲ画像データは、図５に示されるような圧縮特性で、プリンタ３２０で扱うことのできる４００ｃｄ／ｍ2の輝度レンジに圧縮される。なお、Ｄレンジ圧縮する際に、暗部も圧縮してしまうと画像全体の雰囲気が変わるので、ここでは暗部の輝度は維持する圧縮が行われている。即ち、暗部の圧縮率よりも明部（特に最大明部）の圧縮率の方が高くなるように圧縮が行われている。コントラストを重視する場合には、暗部も含めてＤレンジ圧縮してもよい。なお、この例では１ＤＬＵＴでＤレンジ圧縮する形態を説明したが、Ｄレンジ圧縮する方法は、任意の方法でよい。印刷画像生成部４０３は、印刷用の画像データを生成するので、印刷データ生成に特有のガマット圧縮などの処理が行われてもよい。
【００２７】
印刷出力部４０４は、印刷画像生成部４０３によって生成された印刷用の画像データをプリンタ３２０に出力する。プリンタ３２０では、印刷出力部４０４から出力された画像データを用いた印刷処理が行われる。この結果得られた印刷物は、図２に示すように照明輝度の環境下で展示され、観察者は、４００ｃｄ／ｍ2の輝度レンジで印刷物を観察することができる。
【００２８】
次に、プレビュー表示用の処理を説明する。モニタ輝度変更部４０５は、照明輝度取得部４０２において取得した輝度照明に応じた輝度に、モニタ３３０の輝度を変更する。例えば、その取得した輝度照明の下で印刷物の白を見た場合と同じくらいの明るさになる輝度に、モニタの輝度を設定する。モニタ輝度変更部４０５は、モニタＩ／Ｆ３１４を介してモニタ３３０に輝度変更信号を出力する。本実施形態では、モニタ輝度変更部４０５は、モニタ輝度を４００ｃｄ／ｍ2に変更する指示を示す信号をモニタ３３０に出力する。この指示を受けて、モニタ３３０は、最大輝度を４００ｃｄ／ｍ2に設定する。
【００２９】
プレビュー画像生成部４０６は、プレビュー用の画像を生成する。プレビュー画像生成部４０６は、印刷画像生成部４０３と同様に、Ｄレンジ圧縮を行う。即ち、最大輝度が１０００ｃｄ／ｍ2であるＨＤＲ画像のデータを、最大輝度が観察環境の照明輝度の４００ｃｄ／ｍ2の画像データとなるように、Ｄレンジ圧縮を行う。なお、Ｄレンジ圧縮は、印刷画像生成部４０３で説明した画像処理と同様に行うことが可能である。プレビュー画像生成部４０６は、モニタでのプレビュー用の画像データを生成するので、モニタ表示に特有の画像処理を行ってもよい。
【００３０】
プレビュー画像出力部４０７は、プレビュー画像生成部４０６で生成されたプレビュー画像をモニタ３３０に出力する。モニタ３３０は、モニタ輝度変更部４０５で輝度が変更されている状態で、プレビュー画像出力部４０７から出力されたプレビュー画像を表示する。
【００３１】
以上の処理によれば、印刷出力部４０４によって印刷された印刷物を照明輝度４００ｃｄ／ｍ2の展示環境で展示した場合の見た目と、プレビュー画像出力部４０７によってモニタ３３０に表示されているプレビュー画像の見た目とは、近い印象になる。つまり、モニタ輝度変更部４０５で輝度変更されたモニタ３３０上にプレビュー画像出力部４０７によってプレビュー画像を表示することで、実際の展示環境で印刷物を観察した場合の印刷物の画像を確認することができる。即ち、通常の輝度条件（１００ｃｄ／ｍ2前後）と異なる輝度条件においても、ソフトプルーフを実現することができる。
【００３２】
なお、図４の構成では、ソフトプルーフを説明するために、印刷画像とプレビュー画像との両方が生成される構成を説明したが、印刷画像を生成する処理は、ユーザがプレビュー画像を確認した後に行われてよい。つまり、画像処理装置３１０は、印刷出力部４０４によって印刷指示がプリンタ３２０で行われる前に、プレビュー画像出力部４０７によってモニタ３３０に表示をさせ、ユーザによる画像の確認を待つ。そして、印刷出力部４０４は、印刷する指示がユーザから入力された場合のみ、印刷出力部４０４から印刷指示をプリンタ３２０に出力してもよい。
【００３３】
また、図３で説明したシステム構成は、概略を示したものであり、画像処理装置３１０、プリンタ３２０、およびモニタ３３０は、ネットワークを通じて接続されていてもよい。例えば、画像処理装置３１０およびモニタ３３０が、第一の拠点に設置され、プリンタ３２０が、第一の拠点と異なる第二の拠点に設置されてもよい。そして、モニタ３３０で、ソフトプルーフを行い、その後、遠隔地に設置されている実際の展示場近くの第二の拠点においてプリンタ３２０による印刷が行われてもよい。
【００３４】
図６は、Ｄレンジ圧縮を行った効果を説明する図である。図６（ａ）の画像６０１は、画像取得部４０１で取得された画像（入力画像）を示す図である。画像６０１は、ＨＤＲ画像である。領域６０２は、太陽を表しており、画像６０１において最も明るい部分であり、輝度は１０００ｃｄ／ｍ2である。領域６０３は、空の部分であり、輝度は５００ｃｄ／ｍ2である。領域６０４は、山の陰になっている部分であり、輝度は１８ｃｄ／ｍ2である。
【００３５】
図６（ｂ）は、画像６０１に対応する画像６０５を示す。画像６０５は、画像６０１をＤレンジ圧縮して印刷した印刷物を照明輝度４００ｃｄ／ｍ2下で見た場合の見た目を表したものである。照明輝度４００ｃｄ／ｍ2であるので、画像６０５の最も明るい部分の領域６０６の輝度は、４００ｃｄ／ｍ2となる。領域６０７の輝度は、Ｄレンジ圧縮されて３００ｃｄ／ｍ2になる。領域６０８の輝度は、図５に示すように暗部の輝度が維持されるＤレンジ圧縮を行うことから、１８ｃｄ／ｍ2のままとなっている。先に説明したように、プレビュー画像出力部４０７によって出力される画像を、輝度が変更されたモニタ３３０上で表示することで、図６（ｂ）と同様の表示をすることができる。先に説明したように、本実施形態のモニタ３３０は、最大輝度が４００ｃｄ／ｍ2であるので、領域６０６は、印刷物の展示環境と同様に、４００ｃｄ／ｍ2の輝度でモニタ３３０上にプレビュー表示がされることになる。なお、モニタ３３０では、画像を表示する領域とそれ以外の領域とで、輝度を異ならせて表示してもよい。例えば、最大輝度を４００ｃｄ／ｍ2に上げたモニタ３３０は、一般的な観察には眩しくなる。このため、画像を表示する領域以外のＵＩ表示については、モニタ３３０の輝度を上げた場合、暗く表示するようにモニタ３３０を制御してもよい。図６（ｃ）は、後述する実施形態３にて説明する。
【００３６】
なお、上記の説明では、モニタ３３０の輝度を、照明輝度取得部４０２で取得した照明輝度と同じ輝度に変更する例を説明したが、モニタ３３０の輝度を、取得した照明輝度に完全に一致させることができない場合がある。本実施形態は、変更されるモニタの輝度が、照明輝度取得部４０２で取得した照明輝度と同じ輝度に一致していなくてもよい。変更されるモニタの輝度と、照明輝度取得部４０２で取得した照明輝度との差が、所定の範囲内であれば、実質的に同等の視覚効果を得ることができるからである。以下、説明する。
【００３７】
現状使われているソフトプルーフでは、入力画像の最大輝度１００ｃｄ／ｍ2に対してモニタの輝度は８０ｃｄ／ｍ2から１２０ｃｄ／ｍ2の範囲で使われている。この範囲は、おおむね人間が同等の視覚効果を許容できる輝度の範囲と考えることができる。人間の視覚特性を考慮した明るさの単位としてＰＱ（Perceptual Quantization）カーブが広く用いられている。
【００３８】
図７は、輝度とＰＱ値との対応表を示す図である。図７に示すように、輝度８０ｃｄ／ｍ2は、ＰＱ値０．４８６に対応する。同様に、輝度１００ｃｄ／ｍ2＝ＰＱ値０．５０８、輝度１２０ｃｄ／ｍ2＝ＰＱ値０．５２６である。このため、ＰＱ値でプラスマイナス０．０２前後がソフトプルーフで実用になる輝度と考えられる。
【００３９】
一方、輝度４００ｃｄ／ｍ2前後では、図７に示すように、輝度３２０ｃｄ／ｍ2＝ＰＱ値０．６２９、輝度４００ｃｄ／ｍ2＝ＰＱ値０．６５３、輝度４８０ｃｄ／ｍ2＝ＰＱ値０．６７２である。ＰＱ値でプラスマイナス０．０２前後がソフトプルーフで実用になる輝度と想定すると、照明輝度が４００ｃｄ／ｍ2の場合、モニタ輝度の範囲を３２０ｃｄ／ｍ2〜４８０ｃｄ／ｍ2とすることで、人間が同等の視覚効果を許容できる。つまり、照明輝度取得部４０２で取得した照明輝度が４００ｃｄ／ｍ2の場合、モニタ輝度を３２０ｃｄ／ｍ2〜４８０ｃｄ／ｍ2の範囲において設定することができ、この範囲において同等のソフトプルーフの効果を得ることができる。
【００４０】
＜フローチャート＞
図８は、本実施形態の画像処理装置３１０のフローチャートの一例を示す図である。図８のフローチャートで示される一連の処理は、ＣＰＵ３１１がＨＤＤ３１３に記憶されているプログラムコードをＲＡＭ３１２に展開し実行することにより行われる。あるいはまた、図８におけるステップの一部または全部の機能をＡＳＩＣや電子回路等のハードウェアで実現してもよい。なお、各処理の説明における記号「Ｓ」は、当該フローチャートにおけるステップであることを意味する。
【００４１】
Ｓ８０１において画像取得部４０１は、印刷物の元データとなるＨＤＲ画像のデータを取得する。Ｓ８０２において照明輝度取得部４０２は、印刷物が展示される観察環境下の照明輝度を取得する。Ｓ８０１とＳ８０２とは、逆の順序でもよい。
【００４２】
Ｓ８０３でモニタ輝度変更部４０５は、モニタ３３０の輝度をＳ８０２で取得された照明輝度に応じて変更する。Ｓ８０４でプレビュー画像生成部４０６は、Ｓ８０１で取得されたＨＤＲ画像のデータを、Ｓ８０２で取得された照明輝度のＤレンジに適合するように、Ｄレンジ圧縮を行う。即ち、プレビュー画像生成部４０６は、Ｓ８０３で変更されたモニタ輝度のＤレンジに適合するように、Ｄレンジ圧縮を行い、プレビュー画像を生成する。Ｓ８０５でプレビュー画像出力部４０７は、Ｓ８０４で生成したプレビュー画像のデータをモニタ３３０に出力する。これにより、モニタ３３０にて、観察環境下での展示環境と同等の状況でプレビュー画像が表示される。
【００４３】
Ｓ８０６において画像処理装置３１０は、ユーザから印刷指示が入力されたかを判定する。印刷指示が入力された場合、Ｓ８０７に進み、そうでない場合、Ｓ８０９に進む。Ｓ８０７において印刷画像生成部４０３は、Ｓ８０１で取得されたＨＤＲ画像のデータを、Ｓ８０２で取得した照明輝度のＤレンジに適合するようにＤレンジ圧縮を行い、印刷画像を生成する。そして、Ｓ８０８で印刷出力部４０４は、Ｓ８０７で生成された印刷画像のデータをプリンタ３２０に出力し、処理を終了する。これにより、プリンタ３２０にて、印刷物が作成される。この作成された印刷物を実際の観察環境にて展示することで、Ｄレンジが拡張された印刷物が観察される。
【００４４】
Ｓ８０６でユーザから印刷指示が入力されない場合、画像処理装置３１０は、Ｓ８０９でユーザから校正指示が入力されたかを判定する。ソフトプルーフでは、モニタ３３０上で印刷物の確認を行うことができ、必要に応じて画像の修正が行われる。校正指示がない場合には、処理を終了する。校正指示がある場合、Ｓ８１０に進み、校正処理が行われる。その後、Ｓ８０４に進み、プレビュー画像生成部４０６は、校正処理が行われた画像データを用いてプレビュー画像を生成する。なお、Ｓ８０７で印刷画像生成部４０３は、Ｓ８１０で画像データが校正されている場合、校正後の画像データを用いて印刷処理を行う。
【００４５】
＜Ｄレンジ圧縮の詳細＞
図９は、Ｄレンジ圧縮を行う印刷画像生成部４０３およびプレビュー画像生成部４０６の詳細を示すブロック図である。現像部９０１は、画像取得部４０１で取得された画像のデータを所定の形式の画像データに変換する。現像部９０１では、画像取得部４０１で取得された画像のＤレンジも導出される。求められたＤレンジの値は、ダイナミックレンジ取得部９０２へと送られる。ダイナミックレンジ取得部９０２は、画像取得部４０１で取得された入力となる画像のＤレンジと、照明輝度取得部４０２で取得された出力となる輝度情報（Ｄレンジ）とをそれぞれ取得し、ダイナミックレンジ圧縮部９０５へと出力する。なお、本実施形態では、Ｄレンジにおいて暗部は、「０」で固定しているので、明部の最大輝度がＤレンジに対応することになる。
【００４６】
輝度色差分離部９０３は、現像された画像を輝度と色差とに分離する。周波数分離部９０４は、画像を空間周波数の低周波成分と高周波成分とに分離する。ここでは、輝度を低周波成分と高周波成分とに分離する処理が行われる。分離された周波数のうち、低周波成分は、ダイナミックレンジ圧縮部９０５に出力される。ダイナミックレンジ圧縮部９０５は、ダイナミックレンジ取得部９０２で取得したＤレンジの値に基づき処理を実施する。このとき、現像部９０１からのデータを利用して処理が行われる。
【００４７】
一方、高周波成分は、コントラスト補正部９０６に出力される。コントラスト補正部９０６は、コントラスト補正を行う。このように、周波数成分毎に処理が行われた後、周波数合成部９０７は、分離されている周波数成分を合成する。輝度色差合成部９０８は、周波数合成部９０７で合成された輝度と、色差とを合成する。このような処理により、Ｄレンジ圧縮が行われる。なお、色処理部９０９では、出力デバイス（プリンタまたはモニタ）に応じた色変換処理が行われる。
【００４８】
なお、上記で説明したように、印刷画像生成部４０３およびプレビュー画像生成部４０６の処理は、共通化した処理とすることができる。本実施形態では、印刷画像生成部４０３およびプレビュー画像生成部４０６を別個に備えている形態を説明したが、両者を統合した画像生成部を備える構成としてもよい。
【００４９】
図１０は、印刷画像生成部４０３およびプレビュー画像生成部４０６の処理を含むフローチャートである。Ｓ１００１で画像取得部４０１は、撮像された画像データを取得する。ここで取得する画像データは、デジタルカメラで撮影し、処理されたＪＰＥＧ形式などの汎用的なデータではなく、撮像されたままのいわゆるＲＡＷデータである。画像処理によってＤレンジを拡大するからである。Ｓ１００２で現像部９０１は、ＲＡＷデータの現像を行う。
【００５０】
Ｓ１００３でダイナミックレンジ取得部９０２は、入力の明暗部の輝度データを取得する。明部については、取得した画像データに記載されているカメラ情報および撮影時設定から導出される値と、Ｓ１００２の現像処理の結果とから求めることができる。特に明部は、ホワイトバランス調整により輝度データの取得が行われる。なお、ホワイトバランス調整の際、飽和レベルおよび画素情報に応じた置換処理を実施することで、階調が得られていない高輝度領域の階調を拡張（Ｎ段：Ｎ≧１）することが可能である。暗部は、値が０として設定される。なお、黒濃度が表せない紙では、その紙の黒濃度を暗部の輝度データとして入力してもよい。また、入力の黒と、出力の黒とが一致しない場合は、一致させるようにＬＵＴ変換してもよい。Ｓ１００４でダイナミックレンジ取得部９０２は、出力側の明暗部の輝度データを取得する。
【００５１】
Ｓ１００５で輝度色差分離部９０３は、ＲＧＢの信号値から、輝度（Ｙ）と色差（ＣｂＣｒ）との情報に分離を行う。変換は、以下の式により実施される。
Ｙ＝０．２９９×Ｒ＋０．５８７×Ｇ＋０．１１４×Ｂ
Ｃｂ＝−０．１６８７４×Ｒ−０．３３１２６×Ｇ＋０．５×Ｂ      式（１）
Ｃｒ＝０．５×Ｒ−０．４１８６９×Ｇ−０．０８１×Ｂ
【００５２】
Ｓ１００６で周波数分離部９０４は、輝度に変換された画像を、低周波成分画像と高周波成分画像とに分離する。低周波成分を生成するためには、ローパスフィルタを適用する。処理方法は、空間フィルタを適用してもよいし、一旦、ＦＦＴにより空間周波数に変換し、フィルタ処理後にＩＦＦＴで戻してもよい。対象とする周波数は、印刷物を鑑賞する際の用紙サイズ、観察距離から、人間の視覚特性を考慮し、決定すればよい。高周波成分は、逆のハイパスフィルタを適用することで取得してもよいし、得られた低周波成分を元の画像から除算することで取得してもよい。
【００５３】
Ｓ１００７でダイナミックレンジ圧縮部９０５は、Ｓ１００３で取得された入力およびＳ１００４で取得された出力の明暗部の情報に基づき、低周波成分に対し、Ｄレンジ圧縮処理を実施する。Ｓ１００８でコントラスト補正部９０６は、高周波成分に対し、コントラスト補正処理を実施する。コントラスト補正処理は、例えば得られた画像に対し、係数ｋを乗じる処理である。より、撮影時のシーンに近づける場合はｋ＝１付近とし、さらに印刷物のインクの滲みなどの劣化を考慮したい場合は、１以上の値をｋに設定すればよい。Ｓ１００７とＳ１００８とは、逆の順序で行われてもよいし、並行して行われてもよい。
【００５４】
Ｓ１００９で周波数合成部９０７は、低周波成分でのＤレンジ圧縮された低周波成分画像と、高周波成分でのコントラスト補正された高周波成分画像との合成を行う。これにより、所定のＤレンジに圧縮され、コントラストの補正された輝度画像が得られる。
【００５５】
Ｓ１０１０で輝度色差合成部９０８は、色差成分を合成し、下記式でＲＧＢに変換する。
Ｒ＝Ｙ＋１．４０２×Ｃｒ
Ｇ＝Ｙ−０．３４４１４×Ｃｒ−０．７１４１４×Ｃｒ            式（２）
Ｂ＝Ｙ＋１．７７２×Ｃｂ
【００５６】
Ｓ１０１１で色処理部９０９は、得られたＲＧＢ信号値に対し、印刷のための画像処理またはプレビューのための画像処理を行う。
【００５７】
以上説明したように、本実施形態によれば、高輝度照明下の展示用に作成する印刷物と同様の見え方を、モニタ３３０上で実現することができる。このため、高輝度照明下の展示用に作成する印刷物のソフトプルーフを実現することができる。
【００５８】
＜＜実施形態２＞＞
実施形態１では、Ｄレンジを、一般的にＩＣＣＰｒｏｆｉｌｅなどを用いて行われるレンジよりも広い（輝度が高い）レンジとなるように、ＨＤＲ画像をＤレンジ圧縮して、その高輝度に対応した画像データをプリンタおよびモニタに出力する形態を説明した。本実施形態では、一般的なプリンタおよびＳＤＲ（Standard Dynamic Range）モニタに適したデータを出力する形態を説明する。
【００５９】
図１１は、本実施形態における画像処理装置３１０のブロック図である。図４と同様の構成については同一の符号を付し説明を省略する。本実施形態では、実施形態１の印刷画像生成部４０３およびプレビュー画像生成部４０６の代わりに、両者を統合した画像生成部１１０３を備えている。また、輝度正規化部１１１０をさらに備えている。印刷出力部１１０４およびプレビュー画像出力部１１０７は、輝度正規化部１１１０から出力されたデータに基づく処理を行うように構成されている。
【００６０】
本実施形態では、実施形態１と同様に、画像取得部４０１で取得されるＨＤＲ画像の最大輝度は、１０００ｃｄ／ｍ2とする。また、照明輝度取得部４０２で取得される照明輝度も、実施形態１と同様に、４００ｃｄ／ｍ2とする。
【００６１】
画像生成部１１０３では、印刷用かつプレビュー用の画像を生成する。実施形態１で説明したように、取得されたＨＤＲ画像のデータは、最大輝度が１０００ｃｄ／ｍ2であるので、印刷画像生成部４０３は、取得された照明輝度の４００ｃｄ／ｍ2に合わせたダイナミックレンジ圧縮を行う。Ｄレンジ圧縮は、実施形態１で説明した通りである。
【００６２】
輝度正規化部１１１０は、画像生成部１１０３で生成された、Ｄレンジ圧縮された画像の正規化を行う。画像生成部１１０３では、最大輝度４００ｃｄ／ｍ2の画像を生成している。ここで、通常のプリンタやＳＤＲモニタでは、最大輝度４００ｃｄ／ｍ2のデータを入力できない。このため、本実施形態では、輝度正規化部１１１０において、輝度０ｃｄ／ｍ2の色をＲＧＢ＝０、輝度４００ｃｄ／ｍ2の色をＲＧＢ＝２５５になるように、画像全体の正規化を行う。つまり、通常のプリンタやＳＤＲモニタで用いられている単位輝度となるように画像全体の正規化を行う。
【００６３】
印刷出力部１１０４は、輝度正規化部１１１０によって正規化された画像データを用いてプリンタ３２０に印刷出力を行わせる。正規化された画像を印刷するので、印刷された印刷物を観察照明輝度が４００ｃｄ／ｍ2の照明光の下で観察すると４００ｃｄ／ｍ2に最適化された印刷物を観察することができる。
【００６４】
プレビュー画像出力部１１０７は、画像生成部１１０３で生成された画像のプレビューを行う。通常のモニタもＲＧＢデータを入力とする。モニタ輝度変更部４０５では、モニタ３３０の使用する最大輝度は４００ｃｄ／ｍ2に輝度変更されているので、ＲＧＢ＝２５５のデータは４００ｃｄ／ｍ2の画像として表示されることとなる。
【００６５】
以上説明したように、本実施形態では、輝度正規化部１１１０で輝度の正規化を行うことにより、通常のプリンタ・ＳＤＲモニタに対しても圧縮後のデータを入力でき、印刷およびプレビューをすることができる。また、印刷用およびプレビュー用とで圧縮の処理を共通化できる。
【００６６】
＜＜実施形態３＞＞
本実施形態は、モニタの輝度を変更せず、通常のモニタ輝度（１００ｃｄ／ｍ2前後）でプレビューを行う形態を説明する。実施形態２では、モニタ輝度変更部４０５が、照明輝度取得部４０２において取得された照明輝度に合わせてモニタ３３０の輝度を変更する例を説明した。ここで、モニタ３３０の輝度を照明輝度に変更せず、通常のモニタの輝度（１００ｃｄ／ｍ2前後）のままとし、輝度正規化部１１１０で正規化された正規化画像をモニタ３３０上に表示する。この場合、印刷出力部１１０４によって印刷された印刷物を通常照明（１００ｃｄ／ｍ2前後）で見た場合の見た目をモニタ上でプレビューすることができる。印刷物は、高輝度照明用に作成されるものであるが、通常照明下での見え方をプレビュー上で確認したいユースケースがあり、本実施形態は、そのような場合に有用である。
【００６７】
図６を用いて説明する。図６（ｂ）では、画像６０５は、印刷物を照明輝度４００ｃｄ／ｍ2下で見た場合の見た目を表したものであることを説明した。図６（ｃ）を用いて高輝度照明用の印刷物を通常照明（１００ｃｄ／ｍ2前後）で見た場合の見た目について説明する。画像６０９は、図６（ｂ）に相当する印刷物を照明輝度１００ｃｄ／ｍ2下で見た場合の見た目を表したものである。照明輝度１００ｃｄ／ｍ2のため、画像の最も明るい部分の領域６１０は、輝度１００ｃｄ／ｍ2となる。全体として暗くなるため、領域６１１は、輝度７５ｃｄ／ｍ2になり、領域６１２は、輝度１３．５ｃｄ／ｍ2となっている。モニタの輝度を１００ｃｄ／ｍ2でプレビューを行うことにより、モニタにおいても同様の状態をプレビュー表示できる。
【００６８】
本実施形態で画像処理装置３１０は、通常照明用プレビューモードと、観察環境照明用プレビューモードとの２つのプレビューモードを設定可能に構成されている。これらのモードは、ユーザ指示によって切り替え可能である。通常照明用プレビューモードの場合、モニタ輝度変更部４０５は、モニタ３３０の輝度を通常輝度にする。観察環境照明用プレビューモードの場合、モニタ輝度変更部４０５は、モニタ３３０の輝度を観察照明輝度と同じ輝度に設定し、正規化されたデータをモニタに表示する。このように、プレビュー画像を表示している状態において、モニタ３３０の輝度を切り替えることにより、通常の照明輝度で展示した場合と、高輝度照明の照明輝度で展示した場合とを比較することが可能である。このため、モニタ３３０上において、高輝度照明向けの印刷の効果をより認識しやすくなる。
【００６９】
＜＜実施形態４＞＞
本実施形態は、モニタ３３０の輝度の変更タイミングに関する形態である。上述した実施形態では、印刷物が展示される展示環境の照明輝度は、通常輝度に比べて高輝度な照明を想定している。モニタ３３０においても高輝度な照明のプレビュー画像を表示することになるので、モニタ輝度も高輝度となる。高輝度なモニタを見続けると、目の疲労など、各種の影響が想定される。このため、本実施形態では、高輝度照明プレビューを行う場合のみ、モニタ３３０の輝度を変更し、高輝度プレビューが終了したらモニタ３３０の輝度を戻す処理を行う。即ち、ユーザから高輝度プレビューのモードを解除する指示が入力された場合、モニタ３３０の輝度を戻す処理を行う。あるいは、印刷指示の入力があった場合、モニタ３３０の輝度を戻す処理を行ってもよい。また、所定のタイマーを設定し、所定期間の高輝度プレビューが経過した時点で、輝度を元に戻す処理を行ってもよい。このように、高輝度照明プレビューのときのみ輝度を変更し、終了したら輝度を戻すことで、ユーザの目の疲れ等を軽減することができる。モニタ３３０の輝度を戻す場合、モニタ輝度変更部４０５は、高輝度に変更する前の輝度を記憶しておき、変更前の輝度に戻す指示をモニタ３３０に出力してもよい。あるいは、変更前の輝度まで、段階的に輝度を下げる制御が行われてもよい。
【００７０】
＜＜実施形態５＞＞
これまでの実施形態では、プレビュー表示が切り替えられる例を説明した。本実施形態は、通常照明でプレビューした結果と高輝度照明でプレビューした結果とを両方並べて表示する形態である。
【００７１】
並べて表示することで、通常の照明輝度で展示した場合と、高輝度照明の照明輝度に同時に比較することが可能で、高輝度照明向けの印刷の効果をより認識することができる。なお、１つのモニタ３３０上の表示領域を複数の領域に分割し、領域ごとに輝度を切り替えられる場合、１つのモニタ３３０上で画像を並べて表示してよい。あるいは、複数のモニタ３３０を備えたシステムとしてもよく、通常照明用のモニタと高輝度照明用のモニタとを並べてもよい。
【００７２】
＜＜実施形態６＞＞
これまでの実施形態では、モニタ３３０の使用可能な最大輝度が４００ｃｄ／ｍ2である例を説明した。ここで、通常のモニタは、１００ｃｄ／ｍ2前後の輝度で使われることを想定されている。このため、モニタの種類によっては、実施形態１のように観察環境の照明輝度４００ｃｄ／ｍ2を想定した場合、モニタの輝度を同程度（即ち、３２０〜４８０ｃｄ／ｍ2前後）に上げられないことがある。
【００７３】
本実施形態では、必ずしも観察環境の照明輝度と同程度の輝度を出力できないモニタを用いる場合にも、通常の使用される輝度（１００ｃｄ／ｍ2前後）よりも、輝度を上げる。どのようなモニタであっても輝度調整は可能である。現在使用している輝度に対して、その輝度よりも高い輝度が観察照明輝度として指定された場合、少しでも輝度を上げた方が、見た目の一致度が近づくことになる。このように、モニタの輝度を観察照明輝度のレベルまで上げられない場合であっても、モニタ輝度を通常よりも上げることで、プレビュー時の視覚効果をより近づけることができる。
【００７４】
＜＜実施形態７＞＞
上述した実施形態では、画像取得部４０１で取得する画像がＨＤＲ画像である形態を説明した。本実施形態では、画像取得部４０１で取得する画像が通常の標準ダイナミックレンジ画像（ＳＤＲ画像）である形態を説明する。
【００７５】
Ｄレンジを圧縮するだけではなく、Ｄレンジを拡張する技術も広く知られている。上述した実施形態において、印刷画像生成部４０３、プレビュー画像生成部４０６、および画像生成部１１０３が、Ｄレンジ圧縮ではなく、Ｄレンジ拡張処理を行い、印刷画像およびプレビュー画像を生成する形態としてもよい。本実施形態によれば、入力画像がＨＤＲ画像でなく、ＳＤＲ画像であっても、Ｄレンジ拡張することで高輝度照明に適した印刷が可能であり、かつプレビューも可能となる。
【００７６】
＜＜その他の実施形態＞＞
上記の実施形態では、画像処理装置３１０は、モニタ３３０用の画像を生成するとともに、モニタ３３０の輝度を変更可能な形態を説明したが、これらを別々の装置で実現してもよい。例えば、観察環境の照明輝度の取得に応じて、モニタ３３０の輝度を変更する制御を行う表示制御装置を設け、画像処理装置３１０は、観察環境の照明輝度に応じたモニタ３３０用の画像を生成してモニタ３３０に出力する形態でもよい。即ち、画像処理装置３１０がモニタ３３０の輝度を変更せず、他の装置がモニタ３３０の輝度を変更する形態でもよい。
【００７７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００７８】
４０１  画像取得部
４０２  照明輝度取得部
４０５  モニタ輝度変更部
４０６  プレビュー画像生成部
【図１】
2020134747.tif 000003
【図２】
2020134747.tif 000004
【図３】
2020134747.tif 000005
【図４】
2020134747.tif 000006
【図５】
2020134747.tif 000007
【図６】
2020134747.tif 000008
【図７】
2020134747.tif 000009
【図８】
2020134747.tif 000010
【図９】
2020134747.tif 000011
【図１０】
2020134747.tif 000012
【図１１】
2020134747.tif 000013